(57)【要約】【課題】  高定格ヒューズの設定が可能なヒューズユニットを提供する。【解決手段】  取付部２０ａ、２０ｂをバッテリポスト１２に取り付けると、ハウジング３０ａ、３０ｂがバッテリ１１の側面１１ａに対向する。同時に、取付部２０ａ、２０ｂおよびハウジング３０ａ、３０ｂに内包されているヒューズ本体４０ａ、４０ｂが電気的にバッテリ１１に接続されるとともに、可溶部４１を介してハウジング３０ａ、３０ｂに電線接続部４２が形成される。このとき、バッテリ１１から遠ざかる方向に積載されたハウジング３０ａ、３０ｂのうち最外層のハウジング３０ｂにおいては、電線接続部４２においてねじ４２ｂにより電線１５が接続されるので、高定格のヒューズ４３を使用した場合に適用することができる。【選択図】  図１
2005222709.tif 000002
【特許請求の範囲】
【請求項１】
バッテリのバッテリポストに取り付けられ所定長さのアームを有する取付部と、前記アームから直角に屈曲して形成されバッテリ側面に対向するハウジングと、一端が前記バッテリポストに電気的に接続されるとともに他端は前記ハウジングハウジングに内包され可溶部を介して電線に接続する電線接続部を形成するヒューズ本体とを有し、
前記バッテリから遠ざかる方向に積層された前記ハウジングのうち最外層のハウジングの前記電線接続部に、前記電線を前記電線接続部に接続するためのねじを設けたことを特徴とするヒューズユニット。
【発明の詳細な説明】
【技術分野】
【０００１】
本発明はヒューズユニットに係り、例えば自動車のバッテリに接続されるヒューズユニットに関する。
【背景技術】
【０００２】
従来より、図５に示すようなヒューズユニットが開示されている（例えば特許文献１参照）。
このヒューズユニット１００は、バッテリ１０１と電源供給用の電線１１１ａとを接続するものであり、ヒューズ１１４、１１６を有する導電金属製の板状のヒューズエレメント１１８と、このヒューズエレメント１１８がインサート成型された絶縁性の樹脂ボディ１１７とを有している。樹脂ボディ１１７は、前側分割ボディ１１３と後側分割ボディ１１５を有しており、両分割ボディ１１３、１１５は直角に折り曲げられている。前側分割ボディ１１３には、バッテリ端子１０２の接続部１０４とオルタネータ端子１０６をつなぐヒューズ１１４が配置されている。後側分割ボディ１１５には、４つのヒューズ１１６が並列に配置されており、その先端（図５においては下方の先端）には４つの端子１２０が形成されている。
従って、電線１１１ｂは、その先端に取付けられているコネクタ（図示省略）を介して端子１２０に接続されている。
【０００３】
バッテリ１０１の電極であるバッテリポスト１１９にはバッテリ端子１０２が取り付けられており、ヒューズユニット１００は、バッテリ端子１０２のスタッドボルト１０３を端子接続部１０４のボルト挿通孔１０４ａに係合させナット１０５で締め付けて接続されている。さらに、オルタネータ端子１０６およびスタータモータ端子１０７がその挿通孔を端子接続部１０８、１０９から突出するスタッドボルト１１０に係合させてナットで締め付け接続される。オルタネータ端子１０６およびスタータモータ端子１０７は、いわゆる電線付き端子であり、電線１１１ａが一対の圧着片１１２に加締められて接続されている。なお、これらヒューズユニット１００やバッテリ端子１０２等は、上からカバー１２１が被せられており、ほこりや水分の侵入を防止している。
従って、ヒューズユニット１００をバッテリ１０１に取り付けた状態では、前側分割ボディ１１３はバッテリ１０１の上面に水平に位置し、後側分割ボディ１１５はバッテリ１０１の前面１０１ａに沿って垂直に垂れた状態となる。
【０００４】
【特許文献１】特開２００２−３２９４５７号公報（図９）
【発明の開示】
【発明が解決しようとする課題】
【０００５】
ところで、端子１２０の個数が足りないために、２個以上のヒューズユニット１００を取り付けたい場合がある。このような場合に、ヒューズユニット１００をバッテリ１０１の側面に沿って横に並べることが考えられる。この場合には、バッテリポスト１１９からの距離が長くなりすぎたり、スペースの観点からヒューズユニット１００を横に並べるのが困難な場合がある。そこで、ヒューズユニット１００をバッテリ１０１から遠ざかる方向に積層して取り付けることが考えられる。
【０００６】
しかしながら、ヒューズユニット１００と電線１１１ｂとの間の接続にコネクタを用いている場合には、電流がコネクタの許容電流値をオーバーする場合があるため、高定格ヒューズを用いているヒューズユニット１００に対して適用できないという不都合がある。
【０００７】
本発明は、前述した問題点に鑑みてなされたものであり、その目的は、高定格ヒューズの設定が可能なヒューズユニットを提供することにある。
【課題を解決するための手段】
【０００８】
前述した目的を達成するために、本発明にかかるヒューズユニットは、バッテリのバッテリポストに取り付けられ所定長さのアームを有する取付部と、前記アームから直角に屈曲して形成されバッテリ側面に対向するハウジングと、一端が前記バッテリポストに電気的に接続されるとともに他端は前記ハウジングに内包され可溶部を介して電線に接続する電線接続部を形成するヒューズ本体とを有し、前記バッテリから遠ざかる方向に積層された前記ハウジングのうち最外層のハウジングの前記電線接続部に、前記電線を前記電線接続部に接続するためのねじを設けたことを特徴としている。
【０００９】
このように構成されたヒューズユニットにおいては、取付部をバッテリポストに取り付けると、ハウジングがバッテリの側面に対向する。同時に、取付部およびハウジングに内包されているヒューズ本体が電気的にバッテリに接続されるとともに、可溶部を介してハウジングに電線接続部が形成される。このとき、バッテリから遠ざかる方向に積載されたハウジングのうち最外層のハウジングにおいては、電線接続部においてねじにより電線が接続されるので、高定格のヒューズを使用した場合に適用可能である。
【発明の効果】
【００１０】
本発明によれば、従来のコネクタにより電線を接続するヒューズユニットではコネクタの許容電流値をオーバーするため高定格のヒューズに適用できないという問題を解消でき、高定格のヒューズに適用できるという効果が得られる。
【発明を実施するための最良の形態】
【００１１】
以下、本発明に係る実施形態を図面に基づいて詳細に説明する。図１は本発明に係るヒューズユニットをバッテリに取り付ける状態を示す分解斜視図、図２はヒューズユニットの平面図、図３はヒューズユニットの側面図、図４は最外層のヒューズユニットの正面図である。
【００１２】
図１には、本発明の実施形態であるヒューズユニット１０ａ、１０ｂをバッテリ１１から遠ざかる方向に積層する場合が示されている。バッテリ１１に近い側の第１のヒューズユニット１０ａおよびバッテリ１１から遠い最外層の第２のヒューズユニット１０ｂは、バッテリ１１の電極であるバッテリポスト１２に取り付けられ所定長さのアーム２１ａ、２１ｂを有する取付部２０ａ、２０ｂと、アーム２１ａ、２１ｂから下方へ直角に屈曲して形成されバッテリ側面１１ａに対向する第１のハウジング３０ａおよび第２のハウジング３０ｂと、一端が前記バッテリポスト１２に電気的に接続されるとともに他端は第１および第２のハウジング３０ａ、３０ｂに内包され可溶部４１を介して電線接続部４２を形成するヒューズ本体４０ａ、４０ｂとを有している。
【００１３】
図１および図２に示すように、バッテリポスト１２にはバッテリ端子１３が取り付けられている。このバッテリ端子１３のスタッドボルト１３ａには、スタータ用電線１４の端部に取り付けられているスタータ端子１４ａと、最もバッテリ１１側の第１のヒューズユニット１０ａの取付部２０ａが取り付けられている。取付部２０ａにはヒューズ本体４０ａの一端が露出して設けられており、スタッドボルト１３ａにナット１５ａで止めることによりヒューズ本体４０ａとバッテリ１１とが電気的に接続されるようになっている。
【００１４】
第１のヒューズユニット１０ａの取付部２０ａにおいて、ヒューズ本体４０の上面には２本のスタッドボルト２２ａ、２２ｂが設けられている。スタッドボルト２２ａは、オルタネータ用電線２３の先端に取り付けられているオルタネータ端子２３ａがナット１５ｂで止められて電気的に接続されており、同時に、第２のヒューズユニット１０ｂの取付部２０ｂもナット１５ｂで止められている。第２のヒューズユニット１０ｂの取付部２０ｂでは、ヒューズ本体４０ｂが露出しており、第１のヒューズユニット１０ａの取付部２０ａと電気的に接続されている。また、スタッドボルト２２ｂは、ヒューズ２４を介してバッテリポスト１２と電気的に接続されており、所定以上の電流が流れないようになっている。
なお、取付部２０ａおよびスタッドボルト２２ａ、２２ｂ等は、上方からカバー１７が取り付けられており、ほこりや水分の付着による接触不良や短絡等の不具合を防止している。
【００１５】
図１および図３に示すように、ヒューズ本体４０ａ、４０ｂは取付部２０ａ、２０ｂのアーム２１ａ、２１ｂの先端から９０度下向きに折り曲げられており、ヒューズ本体４０ａ、４０ｂを覆うように絶縁性の樹脂からなる第１のハウジング３０ａおよび第２のハウジング３０ｂが一体成型されている。アーム２１ａ、２１ｂの長さ、すなわちバッテリポスト１２との取付部から９０度曲げ降ろす点までの長さは、第１および第２のハウジング３０ａ、３０ｂの厚さ等によって適正に設定されている。
【００１６】
バッテリ１１に近い側の第１のハウジング３０ａの下端は開口しており、開口内にヒューズ本体４０ａの先端が露出して、電線接続部４２であるメス型のコネクタ４２ａを形成している。従って、電気機器に接続される電線１５の先端に取り付けられているオス型のコネクタ１６を、コネクタ４２ａ内に嵌挿することにより容易に接続することができ、電力を供給できるようになっている。
【００１７】
一方、バッテリ１１から最も遠い最外層の第２のハウジング３０ｂでは、前面および下端が開口しており、前面には電線接続部４２であるねじ４２ｂが操作可能に設けられている。従って、電線１５の先端に取付けられている金具１５ｃをねじ４２ｂで接続することにより容易に接続することができるとともに、コネクタ４２ａの許容電流値を超えるような高定格のヒューズ４３を用いた場合にも適用できるようにしている。
【００１８】
図４には第２のハウジング３０ｂの正面図が示されている。なお、第１のハウジング３０ａについても第２のハウジング３０ｂとほぼ共通するので、共通する部位については第１のハウジング３０ａの符号を括弧書きで示すことにする。ハウジング３０ｂ（３０ａ）には、前面に開口した内部空間であるキャビティ３１が並んで設けられている。ヒューズ本体４０ｂ（４０ａ）におけるキャビティ３１に対応する位置には、可溶部４１を有する可溶体であるヒューズ４３が設けられており、ヒューズ本体４０ｂ（４０ａ）におけるバッテリ１１側と電線接続部４２側は、ヒューズ４３のみを介して電気的に接続されている。ヒューズ４３よりも電線接続部４２側は、各々電気的に分離して延伸されており、各々独立して電線接続部４２を形成している。
なお、電線接続部４２に関しては、第１のハウジング３０ａではコネクタ４２ａが設けられており、第２のハウジング３０ｂではねじ４２ｂが設けられている。
【００１９】
図３に示すように、第１のヒューズユニット１０ａのハウジング３０ａ外面（第２のヒューズユニット１０ｂ側面）には、複数個のヒューズユニット１０をバッテリ１１から遠ざかる方向に積層した際に、隣接するハウジング３０ａ、３０ｂの間に隙間３３を形成するための隙間形成手段としての突起３２が積層方向（図３において左右方向）に設けられている。突起３２の形状は問わず、隣接するハウジング３０ａ、３０ｂの間に隙間３３を形成するものであれば良い。従って、単なる突起でも良いし、棒状部材や壁状部材でも良い。また、ハウジング３０ａ、３０ｂと一体的に成型される場合のみならず、後から取り付けることもできる。
【００２０】
また、ヒューズユニット１０ａ、１０ｂの製造にあたっては、可溶部４１を有するヒューズ４３を含んだヒューズ本体４０ａ、４０ｂを平面状に作成し、このヒューズ本体４０ａ、４０ｂに樹脂によりハウジング３０ａ、３０ｂや取付部２０ａ、２０ｂを一体成型した後、ヒューズ本体４０ａ、４０ｂを直角下方に折り曲げて製造できる。
【００２１】
以上、前述したヒューズユニット１０ａ、１０ｂによれば、バッテリ１１から遠ざかる方向に積載された第１および第２のハウジング３０ａ、３０ｂのうち最外層の第２のハウジング３０ｂにおいては、電線接続部４２においてねじ４２ｂにより電線１５が接続される。このため、従来のようにコネクタ１６の許容電流値をオーバーすることがなく、高定格のヒューズ４３を使用した場合にも適用することができる。また、最外層の第２のハウジング３０ｂでは前面があいているので、ねじ４２ｂによって電線１５を容易に接続することができる。
【００２２】
なお、本発明のヒューズユニット１０ａ、１０ｂは、前述した実施形態に限定されるものでなく、適宜な変形，改良等が可能である。
例えば、前述した実施形態において、２個のヒューズユニット１０ａ、１０ｂを積層する場合について説明したが、３個以上のヒューズユニットを積層することも可能である。この場合でも、最も前側である最外層のヒューズユニットの電線接続部４２にねじを用いるようにすることにより、前述したような作用効果を得ることができる。
【図面の簡単な説明】
【００２３】
【図１】本発明に係るヒューズユニットをバッテリに取り付ける状態を示す分解斜視図である。
【図２】ヒューズユニットの平面図である。
【図３】ヒューズユニットの側面図である。
【図４】ヒューズユニットの正面図である。
【図５】従来のヒューズユニットを示す分解斜視図である。
【符号の説明】
【００２４】
１０ａ、１０ｂ  ヒューズユニット
１１  バッテリ
１１ａ  バッテリ側面
１２  バッテリポスト
１５  電線
２０ａ、２０ｂ  取付部
２１ａ、２１ｂ  アーム
３０ａ、３０ｂ  ハウジング
４０ａ、４０ｂ  ヒューズ本体
４１  可溶部
４２  電線接続部
４２ｂ  ねじ
【図１】
2005222709.tif 000003
【図２】
2005222709.tif 000004
【図３】
2005222709.tif 000005
【図４】
2005222709.tif 000006
【図５】
2005222709.tif 000007